(57)【要約】      （修正有）【課題】タバコの箱のフタを開けるだけでタバコを取り出せるタバコの箱を提供する。【解決手段】上ブタを開けるときタバコの上ブタの該当箇所の高分子フィルム材にミシン目１を入れ、箱内に納めた銀紙は、上ブタの裏に接着等上ブタと一体化される。【選択図】図１
0003141929.tif 000002
【実用新案登録請求の範囲】
【請求項１】
新品の煙草の箱の高分子フィルム材がフタを開けると破れ
新品の煙草でもフタを開けるだけで煙草が取り出せる
ようになる事
【請求項２】
新品の煙草のフタを開けると箱の銀紙がフタの裏にくっつき
破れ新品の煙草でもフタを開けるだけで煙草が取り出せるように
なる事
【考案の詳細な説明】
【技術分野】
【０００１】
タバコの箱の高分子フィルム材部分、例えばビニール部分《図1の1の部分》の
従来ビニールをクルッと剥ぎ取っていた部分に、
ミシン目など、ビニールの隙間にエアーを噛ます事により、
ビニールが破れフタが開くようになります。
【０００２】
次に中の銀紙は、図２のように上フタに、
前側の銀紙を貼り付けたり、上フタのべろに
挟み込み一体化させる。
【０００３】
破れた銀紙は、もう一度フタを閉めるとフタの裏側に、
収納されます。
【０００４】
結果、上フタを上に開けるとビニールが破れ、
同時に銀紙も破れる、そうする事により
買ったばかりのタバコが、フタを開けるだけで
タバコが取り出せるようになる。
【背景技術】
【０００５】
タバコの箱から出るゴミを、歩きながら捨てたり、車の窓から捨てたりする
光景が結構目に付きます、道を歩けば道に落ちています、海や川に行けば
水面に浮いていたり落ちていたりします、店屋の駐車場に車を止めればそこにも
落ちています、ボランティアでドブなど用水の掃除をしたときも、タバコの箱から出るゴミが目立っていました。
車の横に乗っている時も運転手の人がタバコの箱を開けているとき、
前方の車がブレーキを踏んでいるのにきずかず急ブレーキを
掛けているが多々有ります。
【特許文献１】公開特許公報２００６-０５０９１８
【考案の開示】
【考案が解決しようとする課題】
【０００６】
以前のタバコの箱は、ビニールをへぎ箱の中の銀紙を
取っていた、一日に何百人もの人がタバコの箱を開けます、
一人ひとりのゴミは少ないとしても、多ければ多いほどゴミも
大量なものになります、車など運転中にタバコの箱を
開ける人も多いと思います、これは余所見運転になります
小さな問題ですが、僕は大きな問題として、この課題を
解決しようと思います。
【課題を解決するための手段】
【０００７】
本考案は、以前のタバコの箱を開ける時の余計な作業を
無くし、タバコの箱のフタを開けるだけでタバコが
取り出せるようにしました。
【考案の効果】
【０００８】
環境保護《ゴミの減少又は、美しい町作り》や、車などの運転中のわき見運転等の事故防止に、関わってくるようになる。
【考案を実施するための最良の形態】
【０００９】
タバコの箱を一回で開けれるようにすることで、
タバコの箱自体のゴミを無くし、余所見運転を大幅に
ダウンすることが出来る。
【実施例】
【００１０】
添付図面に従って説明させて頂きます、図１のａはミシン目あるいは、
ビニールとビニールの間にエアーを咬ましたりする部分です、
そうすることにより余計な作業無しでフタが開きます。
【００１１】
図２はフタが開いた図です、黒く塗られた部分がビニールです、
箱に付いた状態になります。
【００１２】
図３は、箱のフタと銀紙の図です、銀紙は箱のフタの裏に、
接着したりフタと一体化等をさせます。
【図面の簡単な説明】
【００１３】
【図１】タバコの箱の全体の図面です。
【図２】タバコの箱を開けたときの全体図です。
【図３】タバコの箱のフタと銀紙の全体図です。
【符号の説明】
【００１４】
１    ビニールの切れ目です。
２    ビニールの部分です。
３    銀紙の部分です。
４    タバコの箱のフタの部分です。
【図１】
0003141929.tif 000003
【図２】
0003141929.tif 000004
【図３】
0003141929.tif 000005
【手続補正書】
【提出日】平成20年3月14日(2008.3.14)
【手続補正１】
【補正対象書類名】実用新案登録請求の範囲
【補正対象項目名】全文
【補正方法】変更
【補正の内容】
【実用新案登録請求の範囲】
【請求項１】
新品の煙草の箱の外周全体を包んでいる高分子フィルム材の一部に、外力を加え      たとき容易に破れ箱を開ける事ができる加工を施したことを特徴とするたばこの箱
【請求項２】
『新品の煙草』のフタを開けると出てくる前側の銀紙を、上フタに貼り付けた        り、上フタのベロに挟み込ませ一体化させるなど、細工をする事により、一度フタ      を開けるだけで煙草を取り出せるように加工を施した事を特徴とするたばこの箱  
【手続補正２】
【補正対象書類名】明細書
【補正対象項目名】全文
【補正方法】変更
【補正の内容】
【考案の詳細な説明】
【技術分野】
【０００１】
従来の『タバコの箱』は外周を包んでいる高分子フィルム材の一部に設けられた
帯をクルッと剥ぎ取っていた。この部分に、ミシン目など、高分子フィルム材の
一部に外力を加えた時容易に破れフタが開けられるように加工する。
【０００２】
次に中の銀紙は、図２のように上フタに、前側の銀紙を貼り付けたり、
上フタのべろに挟み込み一体化させる。
【０００３】
破れた銀紙は、もう一度フタを閉めるとフタの裏側に収納されます。
【０００４】
結果、上フタを上に開けると高分子フィルム材が破れ、フタが開き、同時に銀紙も      破れる、そうする事により買ったばかりのタバコが、フタを開けるだけで
タバコが取り出せるようになる。
【背景技術】
【０００５】
以前のたばこの箱は、高分子フィルムの上部のクルッと剥ぎ取るテーピング部分
を剥ぎフタを開け中の銀紙を上へ引っ張り取っていた、
タバコの箱から出るゴミを、歩きながら捨てたり、車の窓から捨てたりする
光景が結構目に付きます、道を歩けば道に落ちています、海や川に行けば
水面に浮いていたり落ちていたりします、店屋の駐車場に車を止めればそこにも
落ちています、ボランティアでドブなど用水の掃除をしたときも、タバコの箱から
出るゴミが目立っていました。
車の横に乗っている時も運転手の人がタバコの箱を開けているとき、
前方の車がブレーキを踏んでいるのにきずかず急ブレーキを掛けているが多々
有ります。
【特許文献１】特開２００６-０５０９１８
【考案の開示】
【考案が解決しようとする課題】
【０００６】
以前のタバコの箱は、高分子フィルム材をへぎ箱の中の銀紙を
取っていた、一日に何百人もの人がタバコの箱を開けます、
一人ひとりのゴミは少ないとしても、多ければ多いほどゴミも
大量なものになります、車など運転中にタバコの箱を
開ける人も多いと思います、これは余所見運転になります
小さな問題ですが、僕は大きな問題として、この課題を
解決しようと思います。
【課題を解決するための手段】
【０００７】
本考案は、以前のタバコの箱を開ける時の余計な作業を
無くし、タバコの箱のフタを開けるだけでタバコが
取り出せるようにしました。
【考案の効果】
【０００８】
環境保護《ゴミの減少又は、美しい町作り》や、車などの運転中のわき見運転等の      事故防止に、関わってくるようになる。
【考案を実施するための最良の形態】
【０００９】
タバコの箱を一回で開けれるようにすることで、タバコの箱自体のゴミを無くし、
余所見運転を大幅にダウンすることが出来る。
【実施例】
【００１０】
添付図面に従って説明させて頂きます。上フタを開ける時タバコの上フタ３の該当箇    所の高分子フィルム材にミシン目１を入れておく事により、外力を加えると容易に破    れます。そうすることにより余計な作業無しでフタが開きます。
【００１１】
図２はフタが開いた図です。２は高分子フィルム材です。
高分子フィルム材２は箱と上フタ３に付いた状態になります。
【００１２】
図３は、箱のフタと銀紙４の図です、銀紙４は箱の上フタ３の裏に、
接着したり上フタ３と一体化等をさせます。
【図面の簡単な説明】
【００１３】
【図１】タバコの箱の全体の図面です。
【図２】タバコの箱を開けたときの全体図です。
【図３】タバコの箱のフタと銀紙の全体図です。
【符号の説明】
【００１４】
１    上フタを開ける時高分子フィルム材のミシン目。
２    タバコの箱を覆っている高分子フィルム材。
３    タバコの箱の上フタ。
４    タバコの箱の上フタを開けると出てくる銀紙。
【手続補正３】
【補正対象書類名】図面
【補正対象項目名】全図
【補正方法】変更
【補正の内容】
【図１】
0003141929.tif 000006
【図２】
0003141929.tif 000007
【図３】
0003141929.tif 000008